(57)【要約】【課題】設置時等の誤配線、接続状態、非安全の制御機器の設定やプログラムの状況を容易に、かつ、簡便に確認（チェック）し得る多光軸光電センサを提供する。【解決手段】本多光軸光電センサは、出力確認モードを備える。この出力確認モード時には、複数の光軸の入遮光状態に拘わらずＯＳＳＤ１，２により動作不許可を出力させ、かつ、多光軸光電センサに関する情報に拘わらず外部入力４４，４４から入力された信号に応じて外部出力４３から所定の信号を出力させる。【選択図】図３
2008180649.tif 000002
【特許請求の範囲】
【請求項１】
複数の光軸によって検出領域が形成され、物体が前記光軸を遮光することで該物体の存在検知を行う多光軸光電センサにおいて、
前記物体の存在検知の結果に基づいて、動作許可又は動作不許可の信号を外部に出力するための制御出力と、
前記多光軸光電センサに関する情報を外部に出力するための複数の外部出力と、
外部からの信号を受け付けるための外部入力部と、
通常運転時には、前記複数の光軸が全入光であると判断された場合には、前記物体が不存在とみなし前記制御出力により動作許可を出力させ、前記複数の光軸が一部または全部遮光であると判断された場合には、前記物体が前記検出領域に存在するとみなし前記制御出力により動作不許可を出力させ、かつ、前記外部出力により前記多光軸光電センサに関する情報を出力させ、
出力確認モード時には、前記複数の光軸の入遮光状態に拘わらず前記制御出力により動作不許可を出力させ、かつ、前記多光軸光電センサに関する情報に拘わらず前記外部入力部から入力された信号に応じて前記外部出力から所定の信号を出力させる出力制御手段とを備えることを特徴とする多光軸光電センサ。
【請求項２】
請求項１において、前記出力制御手段は、出力確認モード時に、前記外部入力部から入力された信号に応じて、複数の外部出力を一つずつ、順次、ON又はOFF させる多光軸光電センサ。
【請求項３】
請求項２において、前記出力制御手段は、出力確認モード時に、前記外部入力部から入力された信号に応じて、複数の外部出力のうちの一のみをON又はOFF させる多光軸光電センサ。
【請求項４】
請求項１、２もしくは３において、前記外部入力部が、前記多光軸光電センサの制御に関する信号を受け付けるための複数の外部入力を有し、
前記出力制御手段は、出力確認モード時に、前記複数の外部入力の信号に応じて、前記複数の外部入力の各々に対応した、複数の外部出力のうちの一を、ON又はOFF させる多光軸光電センサ。
【請求項５】
請求項４において、通常運転時に前記光軸の状態を表示する複数の表示灯からなる表示部を有し、
前記出力確認モード時には、前記複数の外部入力の信号に応じて、前記複数の外部入力の各々に対応した前記表示灯を点灯する多光軸光電センサ。
【請求項６】
請求項１、２もしくは３において、前記外部入力部が、前記多光軸光電センサの制御に関する信号を受け付けるための複数の外部入力を有し、
前記出力確認モード時には、前記複数の外部入力の信号に応じて、前記複数の外部入力の各々に対応した、表示灯を点灯する多光軸光電センサ。
【請求項７】
請求項４、５もしくは６において、前記複数の外部入力のうちの１つがミュート入力であり、
通常運転時に前記光軸が全入光の時に前記ミュート入力を受け付けると、前記光軸の入遮光状態に拘わらず前記出力制御手段が前記制御出力により動作許可を出力させるミュート機能モードに遷移し、
出力確認モード時には、前記光軸が全入光の時に前記ミュート入力を受け付けると、前記光軸の入遮光状態に拘わらず前記出力制御手段が前記制御出力により動作不許可を出力させるとともに、ミュート機能の確認状態に遷移したことを示す情報を外部出力から出力させる多光軸光電センサ。
【請求項８】
請求項１、２もしくは３において、ミュート入力を有し、
通常運転時に、前記光軸が全入光の時に前記ミュート入力を受け付けると、前記光軸の入遮光状態に拘わらず前記出力制御手段が前記制御出力により動作許可を出力させるミュート機能モードに遷移し、
出力確認モード時には、前記光軸が全入光の時に前記ミュート入力を受け付けると、前記光軸の入遮光状態に拘わらず前記出力制御手段が前記制御出力により動作不許可を出力させるとともに、ミュート機能の確認状態に遷移したことを示す情報を外部出力から出力させる多光軸光電センサ。
【発明の詳細な説明】
【技術分野】
【０００１】
本発明は、所定領域に侵入する人体等を検知するためのライトカーテンを形成する多光軸光電センサに関し、より詳しくは、設置、配線、動作確認等を容易にできる多光軸光電センサに関するものである。
【背景技術】
【０００２】
プレス機械等の危険源とみなされる機械から人の安全を確保するために、危険源へ人が侵入可能な経路には、人体等を検知する多光軸光電センサが多用されている。多光軸光電センサは、数多くの投光素子を一列に配置した投光器と、この投光素子からの光ビームを受ける数多くの受光素子を一列に配置した受光器とを含み、これら投光器と受光器とで危険区域を仕切る複数の光軸列によりライトカーテンを形成し、このライトカーテンに遮光物が侵入すると光軸の遮光を検知して、危険源を強制的に作動停止させて安全を確保するために、危険源を駆動するモータ等の電源を遮断する遮断指令信号を出力する。
【０００３】
多光軸光電センサは、安全側および非安全側の制御機器と接続される。近年、多光軸光電センサの多機能化に伴い、非安全側に対する入出力の本数が著しく増加している。多機能化としては、たとえば、多光軸光電センサを無効化させるミュート機能を備えたもの（特許文献１）や、このミュート機能の作動中に、安全出力をＯＮさせるオーバライド出力を持つ多光軸光電センサも開発されている。
【特許文献１】特開２００３−２１８６７９（要約書）
【０００４】
入出力の本数が増加すると、前記入出力の配線を誤ったり、接続状態が悪かったり、更には、非安全の制御機器のプログラム等の状態にバグが存在することもある。したがって、多光軸光電センサの設置時や故障時には、これらのバグの存在の有無を知りたいという課題がある。
【０００５】
この課題を解決するために、多光軸光電センサに搭載されたインジケータの数を増加させることも考えられる。しかし、こうすると、多光軸光電センサは細いので、インジケータの設置場所を設けにくいだけでなく、回路規模やコストが増大する。
【０００６】
一方、誤配線等の有無は、多光軸光電センサの設置時や故障時等にのみ確認すればよく、常時は必要なものではない。
【０００７】
しかも、前記配線やプログラムの状態を確認するには、多光軸光電センサを実際に動作させると共に、想定し得る種々の状態および環境を人為的に作る必要があり、複数の人員と多大な手間を要する。
【発明の開示】
【発明が解決しようとする課題】
【０００８】
したがって、本発明の目的は、設置時等の誤配線、接続状態、非安全の制御機器の設定やプログラムの状況を容易に、かつ、簡便に確認（チェック）し得る多光軸光電センサを提供することである。
【課題を解決するための手段】
【０００９】
前記目的を達成するために、本発明は複数の光軸によって検出領域が形成され、物体が前記光軸を遮光することで該物体の存在検知を行う多光軸光電センサにおいて、前記物体の存在検知の結果に基づいて、動作許可又は動作不許可の信号を外部に出力するための制御出力と、前記多光軸光電センサに関する情報を外部に出力するための複数の外部出力と、外部からの信号を受け付けるための外部入力部と、通常運転時には、前記複数の光軸が全入光であると判断された場合には、前記物体が不存在とみなし前記制御出力により動作許可を出力させ、前記複数の光軸が一部または全部遮光であると判断された場合には、前記物体が前記検出領域に存在するとみなし前記制御出力により動作不許可を出力させ、かつ、前記外部出力により前記多光軸光電センサに関する情報を出力させ、出力確認モード時には、前記複数の光軸の入遮光状態に拘わらず前記制御出力により動作不許可を出力させ、かつ、前記多光軸光電センサに関する情報に拘わらず前記外部入力部から入力された信号に応じて前記外部出力から所定の信号を出力させる出力制御手段とを備えることを特徴とする。
【発明の効果】
【００１０】
多光軸光電センサが出力確認モードに設定され、外部入力部から所定の信号が入力されると、該入力信号に応じて、出力制御手段が外部出力から所定の出力信号を出力する。そのため、特殊な外的要因（外的環境）を整えなくても、設置時等の誤配線、接続状況、非安全の制御機器の設定やプログラムの状況を容易に、かつ、簡便に確認し得る。
【発明を実施するための最良の形態】
【００１１】
本発明においては、前記出力制御手段が出力確認モード時に前記外部入力部から入力された信号に応じて、複数の外部出力を一つずつ、順次、ON又はOFF させれば、多数の信号を同時にＯＮ・ＯＦＦさせるのと異なり、チェックが容易になる。
【００１２】
本発明において、前記出力制御手段が出力確認モード時に前記外部入力部から入力された信号に応じて、複数の外部出力のうちの一のみをON又はOFF させれば、多数の外部出力のうちチェック対象が明瞭になる。
【００１３】
本発明において、前記外部入力部が、前記多光軸光電センサの制御に関する信号を受け付けるための複数の外部入力を有し、前記出力制御手段は、出力確認モード時に、前記複数の外部入力の信号に応じて、前記複数の外部入力の各々に対応した、複数の外部出力のうちの一を、ON又はOFF してもよい。
この場合、外部入力の配線についてもチェックが可能となる。
【００１４】
本発明においては、通常運転時に前記光軸の状態を表示する複数の表示灯からなる表示部を有し、前記出力確認モード時には、前記複数の外部入力の信号に応じて、前記複数の外部入力の各々に対応した前記表示灯を点灯するのが好ましい。
また、本発明においては、前記外部入力部が、前記多光軸光電センサの制御に関する信号を受け付けるための複数の外部入力を有し、前記出力確認モード時には、前記複数の外部入力の信号に応じて、前記複数の外部入力の各々に対応した、表示灯を点灯するのが好ましい。
このように、外部入力に応じた表示灯を点灯することにより、チェック結果を多光軸光電センサにおいて目視で確認できる。
【００１５】
本発明においては、前記複数の外部入力のうちの１つがミュート入力であり、通常運転時に、前記光軸が全入光の時に前記ミュート入力を受け付けると、前記光軸の入遮光状態に拘わらず前記出力制御手段が前記制御出力により動作許可を出力させるミュート機能モードに遷移し、出力確認モード時には、前記光軸が全入光の時に前記ミュート入力を受け付けると、前記光軸の入遮光状態に拘わらず前記出力制御手段が前記制御出力により動作不許可を出力させるとともに、ミュート機能の確認状態に遷移したことを示す情報を外部出力から出力させてもよい。
また、本発明においては、ミュート入力を有し、通常運転時に、前記光軸が全入光の時に前記ミュート入力を受け付けると、前記光軸の入遮光状態に拘わらず前記出力制御手段が前記制御出力により動作許可を出力させるミュート機能モードに遷移し、出力確認モード時には、前記光軸が全入光の時に前記ミュート入力を受け付けると、前記光軸の入遮光状態に拘わらず前記出力制御手段が前記制御出力により動作不許可を出力させるとともに、ミュート機能の確認状態に遷移したことを示す情報を外部出力から出力させるようにしてもよい。
【００１６】
このように、出力確認モード時において、ミュート機能の確認状態に遷移した場合に動作不許可を出力ので、当該遷移情報を外部に出力してもシステム全体が不用意に動作するのを防止し得る。
【実施例】
【００１７】
以下、本発明の本実施例を図面にしたがって説明する。
図１において、本実施例の多光軸光電センサ１は、一対の投受光器２，３を有し、通信線又は信号線Ｌ１を介して前記投光器２と受光器３とが互いに接続される。投受光器２，３は、通信線又は信号線を介して直列に増設可能であり、図２の破線で示す各センサユニットＭ２，Ｍ３同士が互いに接続される。
【００１８】
図２の投光器２は、細長いケーシング２００を有し、このケーシング２００の中に、その長手方向に沿って一列にＮ個の投光素子７が等間隔に配置されている。
【００１９】
同様に、受光器３は、細長いケーシング３００を有し、このケーシング３００の中に、その長手方向に沿って一列に、投光素子７と同じ数の受光素子８が等間隔に配置されており、隣接する受光素子８、８間の間隔は、上述した投光器２の投光素子７の間隔と同じである。
【００２０】
投光器２と受光器３は、同一平面上において互いに対面して配置され、投光器２の各投光素子７から、これに対応する受光器３の受光素子８に向けて光ビームが発射されることにより投光器２と受光器３との間にセーフティライトカーテンが形成される。図２および図１に示す参照符号１０は光軸を示す。
【００２１】
投光器２は、発光ダイオードなどのＮ個の投光素子７と、これらＮ個の投光素子７を個々に駆動するＮ個の投光回路１２と、これらＮ個の投光回路１２を時分割でスキャンする素子切替回路１３と、投光器２を全体的に制御する投光制御回路１４とを有する。投光制御回路１４はクロック発生回路１５からのクロック信号を受けてＮ個の投光素子７を順次発光させる投光タイミングを生成する。
【００２２】
投光器２は、受光器３との間の通信、例えばタイミング信号の授受を制御すると共に、他の増設された投光器との間の通信を制御する通信制御回路１７を含み、投光制御回路１４は、受光器３からの指示を受けて、Ｎ個の投光回路１２を順次起動させることにより、一番目の光軸１０の投光素子７からＮ番目の投光素子７まで次々と点灯させる。これにより、投光器２は、受光器３に向けて、所定の投光タイミングで一番目の光軸１０からＮ番目の光軸１０まで、順次、光ビームを発射する。
前記複数の光軸１０によって検出領域Ａ（図２）が形成されており、物体が前記光軸を遮光することで該物体の存在（侵入）検知が行われる。
【００２３】
受光器３は、受光ダイオードなどのＮ個の受光素子８と、これらＮ個の受光素子８を個々に駆動するＮ個の受光回路１８と、これらＮ個の受光回路１８を時分割でスキャンする素子切替回路１９と、受光器３を全体的に制御する受光制御部２０とを有し、受光制御部２０はクロック発生回路２１からのクロック信号を受けてＮ個の受光素子８を順次有効化する。
【００２４】
受光器３は、また、投光器２との間の通信、例えばタイミング信号の授受を制御すると共に、他の増設された受光器３との間の通信を制御する通信制御回路２３を含み、受光制御部２０は、投光器２からのタイミング信号を受けて、投光器２から次々に発射される光ビームに対応する受光素子８からの出力を取り込むことができるように、第１番目の受光素子８の光軸１０からＮ番目の光軸１０まで、順次、有効化する。
【００２５】
前記受光器３は、光軸の入遮光などの状態を表示する複数の表示灯３２1 〜３２n からなる表示部３２を有する。各表示灯３２i は、たとえば、赤および緑の何れか一方の発光が可能な発光ダイオードからなる。
【００２６】
前記受光器３には、入出力部５が設けられている。
図３に示すように、入出力部５には、安全および非安全出力制御回路（出力制御手段の一例）５０，４０が内蔵され、これらの出力制御回路５０，４０からプレス機などの危険源の安全制御機器７０や非安全制御機器８０に対して信号が出力される。
【００２７】
前記安全出力制御回路５０には、複数の電源端子５１，５２，安全制御出力端子（制御出力の一例）５３，５３，……および安全外部入力端子（外部入力の一例）５４，５４，……が接続されている。
なお、＋電位入力端子５１及び−電位入力端子５２はそれぞれ２つずつ設けられているが、これは、一方が故障した場合のバックアップのためである。
【００２８】
前記非安全出力制御回路４０には、複数の電源端子５１，５２，非安全外部出力端子（外部出力の一例）４３，４３，……および非安全外部入力端子（外部入力の一例）４４，４４，……が接続されている。これらの多数の端子４３，４４，５１〜５４は、コネクタを形成しており、図示しないケーブルを介して、安全側制御機器７０または非安全側制御機器８０に接続される。
【００２９】
このように、多光軸光電センサにおいては、多数の入出力が存在し、そのため、設置時等の誤配線も生じ易い上、その配線のチェックも大変面倒になりがちである。
【００３０】
つぎに、前記入出力の一部について機能を簡単に説明する。
安全側については、所定の規格に従った多数の入出力がある。以下、安全側について説明する。
【００３１】
前記安全制御出力端子５３は、いわゆるＯＳＳＤと呼ばれる、いわゆる安全出力としての制御信号を出力するためのもので、物体の存在検知の結果に基づいて、プレス機等の危険源の動作許可又は動作不許可の信号を安全側制御機器７０に出力するためのものである。
【００３２】
前記安全外部入力端子５４の１つであるリセット入力は、インターロック中に、遮光対象物が検出領域Ａから取り除かれてインターロック解除待ちとなった際に、多光軸光電センサの通常の運転を開始させるための入力である。
なお、インターロックモードセレクトＩＬは、インターロックの機能を発揮させる為の入力を入力するための入力端子である。
【００３３】
つぎに、非安全側について説明する。
非安全側については、多光軸光電センサの高機能化に伴い、近年、入出力の本数が著しく増大している。
前記非安全外部出力端子４３は多光軸光電センサに関する情報を非安全側制御機器８０に出力するための出力端子である。以下、前記非安全外部出力端子４３の例としてＩＬ，ＩＲ，Ｗａｒｎ，Ｃ／Ｒ等について説明する。
【００３４】
ＩＲはインターロック解除待ちの出力端子である。
Ｗａｒｎは警報の出力端子である。
ＳＴ１，ＳＴ２は、多光軸光電センサの状態がいかなる状態かを非安全側制御機器８０に報知するための出力端子である。
ＭＬは、ミュートランプを点灯するための出力端子である。
ＡＵＸは前記ＯＳＳＤに対応する非安全側の出力端子である。
【００３５】
２つのミュートセンサ入力ＭＳ１，ＭＳ２は、それぞれ、互いに異なる物体検出器に接続されており、ミュート機能モードに入るためとミュート機能モードを解除する際の条件としてのミュート入力である。
【００３６】
ここで、ミュート機能は２つのミュート入力が双方とも入力されると一時的に人体侵入の検知機能を無効化する機能で、一時的に安全制御出力として動作許可信号を出力する（安全出力はＯＮを保つ）。ミュート入力としては、光電センサやリミットスイッチなどからの入力が考えられる。ミュート機能への遷移は、通常モードにおいて全入光状態（安全制御出力がＯＮ）で、かつ、２つのミュート入力の双方が入力されると実行される。一方、通常モードで遮光状態（安全制御出力がＯＦＦ）や異常時にはミュート入力が入力された場合であっても、ミュート機能へは遷移しない。
ミュート機能モードの解除は、たとえばミュート機能モード中において、前記ミュート入力の少なくとも一方が入力されなくなることを条件として実行される。
【００３７】
オーバライド入力は、少なくともミュート入力がＯＮで、少なくとも一部の光軸が遮光されている場合に、オーバライド機能を発揮させるための入力である。
【００３８】
前記非安全外部入力端子４４は、非安全側制御機器８０から多光軸光電センサの制御に関する入力信号を受けるための入力端子で、前記安全外部入力端子５４と共に“外部入力部”を構成する。
【００３９】
つぎに、非安全出力制御回路４０および安全出力制御回路５０の機能について説明する。
前記非安全出力制御回路４０および安全出力制御回路５０は、通常運転時と出力確認モード時で異なる機能を発揮する。
【００４０】
通常運転時には、前記複数の光軸が全入光であると入出力部５により判断された場合には、前記物体が不存在とみなし、安全出力制御回路５０は安全制御出力端子５３から安全側制御機器７０に動作許可を出力させる。一方、前記複数の光軸が一部または全部遮光であると入出力部５により判断された場合には、前記物体が前記検出領域Ａに存在するとみなし、安全出力制御回路５０は安全制御出力端子５３（ＯＳＳＤ１，２）から安全側制御機器７０に動作不許可を出力させる。また、通常運転時には、非安全出力制御回路４０が非安全外部出力端子４３から前記多光軸光電センサに関する前記情報を非安全側制御機器８０に出力させる。
【００４１】
前記通常運転時に、前記光軸１０が全入光の時に前記ミュート入力を受け付けると、前記光軸１０の入遮光に拘わらず前記安全出力制御回路５０が前記安全制御出力端子５３により動作許可を出力させるミュート機能モードに遷移する。
【００４２】
本多光軸光電センサ１は、以下に説明するように、出力確認モードを備えている。
この出力確認モードは、誤配線や非安全側制御機器８０の設定やプログラムのバッグが存在しないことを確認するためのモードで、このモード中には物体検知の機能が働かないように設定されている。
【００４３】
前記出力確認モードに設定するには、たとえば、本多光軸光電センサの据え付け時に、非安全側の端子４４の１つであるインタロックモードセレクトＩＬを結線せずに（オープンにして）電源投入する。
また、オーバライドやエラー時にも前記端子４４をオープンとすることにより通常運転モードやミュート機能モードから出力確認モードに切り替わる。一方、出力確認モードから通常運転モードに遷移するためには電源を再投入し、全ての端子４３，４４，５１〜５４を非安全側制御機器８０または安全側制御機器７０に結線する。
【００４４】
出力確認モード時には、前記複数の光軸１０の入遮光に拘わらず前記安全制御出力端子５３（ＯＳＳＤ１，２）により動作不許可を出力させ、かつ、前記多光軸光電センサに関する情報に拘わらず前記非安全外部入力端子４４および安全外部入力端子５４から入力された信号に応じて前記非安全出力制御回路４０および安全出力制御回路５０が出力端子４３，５３から所定の信号を出力させる。
【００４５】
以下、出力確認モード時の信号の出力の一例について説明する。
【００４６】
図４の出力確認モードに設定され、まず、ステップＳ１において非安全制御機器８０から非安全外部入力端子４４（ウェイト入力）にパルス信号がウェイト入力として入力されると、全ての非安全外部出力端子４３からの出力がＯＦＦとなる。以下同様に各ステップＳ２〜１９において非安全外部入力端子４４にパルス信号が入力されると、次のステップに進む。ステップＳ２ではインターロック解除待ちＩＲがＯＮとなり、続いてステップＳ３においてインターロック解除待ちＩＲがＯＦＦとなる。その後、ステップＳ４に進み、警報出力ＷａｒｎがＯＮとなり、続いてステップＳ５に進み警報出力ＷａｒｎがＯＮとなる。
【００４７】
こうして、Ｓ１〜Ｓ１９に示すように多数の非安全側の端子４３の１つずつが、パルス信号（ウェイト入力）の入力に応じて順次ＯＮ・ＯＦＦする。
【００４８】
この出力確認モードにおいては、前記誤配線や接続不良が存在すると、その存在を非安全制御機器８０において知ることができる。
また、この出力確認モードにおいては、図２の投光器２の各投光素子７から受光器３の各投光素子８に光ビームが入光しており、投光器や受光器に異常がある場合、当該異常に対応する別の表示灯３２4 が点灯する。
【００４９】
図４のステップＳ２０では、非安全制御機器８０のソフトウェアの確認が実行される。
図５のステップＳ２１で、ミュート入力が非安全外部入力端子４４（ＭＳ１，ＭＳ２）から入力されたか否かが判断され、光軸１０が全入光の場合にミュート入力があるとステップＳ２２に進んで所定の表示灯３２i が点灯し、更に、ステップＳ２３に進んで、ミュート機能の確認の状態となる。
【００５０】
この確認の状態においては、前記光軸１０の入遮光の状態にかかわらず、安全出力制御回路５０が安全制御出力端子５３（ＯＳＳＤ１，２）から動作不許可の信号を安全側制御機器７０に出力する。
【００５１】
前記ミュート機能の確認後、ステップＳ２４に進んで前記表示灯３２i が消灯する。
【００５２】
次のステップＳ２５では，オーバライド入力が非安全外部入力端子４４（オーバーライド入力）から入力されたか否かが判断され、オーバライド入力が入力されると、ステップＳ２６に進んで、当該入力に応じた別の表示灯３２j が点灯し、更に、ステップＳ２７に進んで、オーバライド機能の確認の状態となり、該機能の確認後、ステップＳ２８に進んで前記表示灯３２j が消灯する。
【００５３】
更に、以下のソフトウェアの確認が実行されてもよい。
たとえば、出力として所定の期間に所定数のパルスを出力する非安全外部出力端子４３がある。この出力を確認するためには、i ）所定の波形のパルスを出力できるか否か、ii）所定数のパルスを出力できるか否か、更に、iii ）非安全制御機器８０の処理ソフトが正しいか否か等のチェックがなされる。
なお、本多光軸光電センサでは、パルスの数でロックアウト状態（故障により回復不能な状態）を状態報知ＳＴ１，ＳＴ２の非安全外部出力端子４３から出力する。
【００５４】
なお、バックアップや冗長性を持たせるために、電源端子５１，５２、オーバライド入力やリセット入力用等の端子４４，５４などについても、同一の機能のものを複数設けてもよい。
【００５５】
前記実施例では入出力部５を受光器３に内蔵して設けたが、本発明においては、入出力部５を必ずしも内蔵する必要はなく、図６のように、入出力部５の機能を持つコントローラ５Ｂを外付けで設けてもよいし、あるいは、投光器２に内蔵してもよい。
【産業上の利用可能性】
【００５６】
本発明は所定領域に侵入する人体等を検知するためのライトカーテンを形成する多光軸センサに利用することができる。
【図面の簡単な説明】
【００５７】
【図１】本発明の実施例１にかかる多光軸光電センサの概略構成図である。
【図２】投光器および受光器の概略斜視図である。
【図３】出力制御手段および外部の制御機器の入出力の構成を示す概略構成図である。
【図４】出力確認モードのフローを示すフローチャートである。
【図５】ソフトの出力確認モードのフローチャートである。
【図６】実施例２にかかる多光軸光電センサの概略図である。
【符号の説明】
【００５８】
１：多光軸光電センサ
５：入出力部（出力制御手段）
１０：光軸
３２：表示部
３２i ：表示灯
４０：非安全出力制御回路（出力制御手段）
４３：非安全外部出力端子（外部出力）
４４：非安全外部入力端子（外部入力）
５０：安全出力制御回路
５３：安全制御出力端子（制御出力）
５４：安全外部入力端子（外部入力）
４４，５４：外部入力部
【図１】
2008180649.tif 000003
【図２】
2008180649.tif 000004
【図３】
2008180649.tif 000005
【図４】
2008180649.tif 000006
【図５】
2008180649.tif 000007
【図６】
2008180649.tif 000008